(57)【要約】【課題】入力キーに関連付けて登録されている情報が印刷されたラベルを容易に作成する。【解決手段】印刷システム１００は、画像が印刷された被印刷媒体Ｍを切断したラベルを作成する印刷装置１とコンピュータ４０とサーバ７０とを備える。ラベルを貼り付ける対象の電子機器５０の入力部６０は、情報を登録可能なキー（６１、６２、６３、６４、６５）を含む複数のキーを有する。印刷装置１は、データ取得部２５が取得した電子機器５０の特定のキーの配置とラベルを貼り付ける貼り付け領域に関する仕様情報と、特定のキーに登録されている又は登録される登録情報と、に基づいて、特定のキーの配置に対応した領域に登録情報が印刷されたラベルを作成する。【選択図】図１
2018108695.tif 000002
【特許請求の範囲】
【請求項１】
被印刷媒体に画像が印刷されたラベルを作成するラベル作成部と、
前記印刷を行うための情報を取得するデータ取得部と、
制御部と、
を備え、
前記データ取得部は、少なくとも１つのキーを有する第１の入力部と、前記ラベルを貼り付けることが可能な貼り付け領域と、を備える特定の電子機器における前記キーの配置に関する情報及び前記貼り付け領域に関する情報を含む特定の仕様情報を取得し、
前記制御部は、前記特定の仕様情報と、前記特定の電子機器における前記キーに登録されている又は登録される登録情報と、に基づいて、前記ラベル作成部により、前記被印刷媒体における前記キーの配置に対応した領域に前記登録情報が印刷された前記ラベルを作成させることを特徴とする印刷装置。
【請求項２】
請求項１に記載の印刷装置は、
前記登録情報の入力を受け付ける第２の入力部を備えることを特徴とする印刷装置。
【請求項３】
請求項１に記載の印刷装置において、
前記特定の仕様情報は、前記特定の電子機器を含む互いに異なる複数の電子機器の各々における、前記キーの配置に関する情報及び前記貼り付け領域に関する情報を含む仕様情報から選択されたものであることを特徴とする印刷装置。
【請求項４】
請求項３に記載の印刷装置において、
前記仕様情報は、前記複数の電子機器の各々における、前記キーの間隔及び前記キーのキーピッチを含むスペース情報と、前記キーの位置を示すキーの位置情報と、前記貼り付け領域の幅及び長さを含む貼り付け領域情報と、を含むことを特徴とする印刷装置。
【請求項５】
請求項１乃至請求項４の何れか１項に記載の印刷装置において、
前記制御部は、前記被印刷媒体の幅が前記特定の仕様情報における前記貼り付け領域の幅より大きい場合に、前記ラベル作成部により、前記被印刷媒体の前記貼り付け領域の幅に対応する位置に補助線を印刷させることを特徴とする印刷装置。
【請求項６】
被印刷媒体に画像が印刷されたラベルを作成するラベル作成部を有する印刷装置と、
少なくとも１つのキーを有する第１の入力部と、前記ラベルを貼り付けることが可能な貼り付け領域と、を備える特定の電子機器における前記キーの配置に関する情報及び前記貼り付け領域に関する情報を含む特定の仕様情報を送信する情報機器と、
を備え、
前記印刷装置は、前記情報機器から送信される情報を取得するデータ取得部と、制御部と、を有し、
前記データ取得部は、前記特定の仕様情報を前記情報機器から取得し、
前記制御部は、前記特定の仕様情報と、前記特定の電子機器の前記キーに登録されている又は登録される登録情報と、に基づいて、前記ラベル作成部により、前記被印刷媒体における前記キーの配置に対応した領域に前記登録情報が印刷された前記ラベルを作成させることを特徴とする印刷システム。
【請求項７】
請求項６に記載の印刷システムにおいて、
前記特定の仕様情報は、前記情報機器において、前記特定の電子機器を含む互いに異なる複数の電子機器の各々における、前記キーの配置に関する情報及び前記貼り付け領域に関する情報を含む仕様情報から選択されたものであることを特徴とする印刷システム。
【請求項８】
請求項６又は請求項７に記載の印刷システムにおいて、
前記データ取得部は、前記情報機器から前記登録情報を取得することを特徴とする印刷システム。
【請求項９】
請求項６又は請求項７に記載の印刷システムにおいて、
前記印刷装置は、前記登録情報の入力を受け付ける第２の入力部を備えることを特徴とする印刷システム。
【請求項１０】
請求項６乃至請求項９の何れか１項に記載の印刷システムにおいて、
前記仕様情報は、前記複数の電子機器の各々における、前記キーの間隔及び前記キーのキーピッチを含むスペース情報と、前記キーの位置を示すキーの位置情報と、前記貼り付け領域の幅及び長さを含む貼り付け領域情報と、を含むことを特徴とする印刷システム。
【請求項１１】
被印刷媒体に画像が印刷されたラベルを作成するラベル作成部と、
前記印刷を行うための情報を取得するデータ取得部と、
制御部と、
を備え、
前記データ取得部は、少なくとも１つのキーを有する第１の入力部と、前記ラベルを貼り付けることが可能な貼り付け領域と、を備える互いに異なる機種の複数の電子機器のうちの特定の電子機器の機種を特定する特定の機種情報を取得し、
前記制御部は、前記特定の機種情報に基づいて取得した、前記特定の電子機器の前記キーの配置に関する情報及び前記貼り付け領域に関する情報を含む特定の仕様情報と、前記特定の電子機器における前記キーに登録されている又は登録される登録情報と、に基づいて、前記ラベル作成部により、前記被印刷媒体における前記キーの配置に対応した領域に前記登録情報が印刷された前記ラベルを作成させることを特徴とする印刷装置。
【請求項１２】
請求項１１に記載の印刷装置は、
前記複数の電子機器の各々における、前記キーの配置に関する情報及び前記貼り付け領域に関する情報を含む仕様情報が格納された記憶部を有し、
前記制御部は、前記特定の機種情報に基づいて、前記記憶部に格納されている前記仕様情報から前記特定の仕様情報を取得することを特徴とする印刷装置。
【請求項１３】
請求項１１又は請求項１２に記載の印刷装置において、
前記データ取得部は、前記特定の機種情報及び前記登録情報を前記特定の機種の第１の電子機器から取得することを特徴とする印刷装置。
【請求項１４】
請求項１１又は請求項１２に記載の印刷装置は、
前記登録情報の入力を受け付ける第２の入力部を備え、
前記データ取得部は、前記特定の機種情報を前記特定の機種の第１の電子機器から取得することを特徴とする印刷装置。
【請求項１５】
請求項１１乃至請求項１４の何れか１項に記載の印刷装置において、
前記仕様情報は、第１の電子機器の前記複数の機種の各々における、前記キーの間隔及び前記キーのキーピッチを含むスペース情報と、前記キーの位置を示すキーの位置情報と、前記貼り付け領域の幅及び長さを含む貼り付け領域情報と、を含むことを特徴とする印刷装置。
【請求項１６】
少なくとも１つのキーを有する第１の入力部と、被印刷媒体に画像が印刷されて作成されたラベルを貼り付けることが可能な貼り付け領域と、を備える特定の電子機器における前記キーの配置に関する情報及び前記貼り付け領域に関する情報を含む特定の仕様情報を取得し、
前記特定の仕様情報と、前記特定の電子機器における前記キーに登録されている又は登録される登録情報と、に基づいて、前記被印刷媒体における前記キーの配置に対応した領域に前記登録情報が印刷された前記ラベルを作成することを特徴とするラベル作成方法。
【請求項１７】
印刷装置を制御するコンピュータにより実行されるプログラムであって、
前記印刷装置は、被印刷媒体に画像が印刷されたラベルを作成するラベル作成部を備え、
少なくとも１つのキーを有する第１の入力部と、前記ラベルを貼り付けることが可能な貼り付け領域と、を備える特定の電子機器における前記キーの配置に関する情報及び前記貼り付け領域に関する情報を含む特定の仕様情報を取得させる機能と、
前記特定の仕様情報と、前記特定の電子機器の前記キーに登録されている又は登録される登録情報と、に基づいて、前記ラベル作成部により、前記被印刷媒体における前記キーの配置に対応した領域に前記登録情報が印刷された前記ラベルを作成させる機能と、
を前記コンピュータに実行させることを特徴とするプログラム。
【発明の詳細な説明】
【技術分野】
【０００１】
本発明は、印刷装置、印刷システム、ラベル作成方法、及び、プログラムに関する。
【背景技術】
【０００２】
従来から、長尺状の被印刷媒体であるテープ部材に文字、図形等を印刷してラベルを作成するラベルプリンタが知られている。例えば、特許文献１には、商品の原産地を印刷するラベルプリンタが記載されている。ラベルプリンタで作成されたラベルは様々なものに貼り付けられて使用される。
【先行技術文献】
【特許文献】
【０００３】
【特許文献１】特開２００１−１８００４９号公報
【発明の概要】
【発明が解決しようとする課題】
【０００４】
ところで、電卓には、税率や為替レートなど計算に頻繁に使用される数値等の情報を記憶する機能を有するものがある。電卓に記憶されているこれらの情報は、それぞれ特定のキーに関連付けて登録され、特定のキーを押下することで呼び出すことができる。しかしながら、登録されている情報がキー自体には表示されていないため、登録されている情報が頻繁に変更されると、電卓を使用する使用者は、キーに現在登録されている情報がわからなくなってしまうことがある。なお、このような課題は、電卓に限らず、入力キーを有する様々な電子機器で生じ得る。
【０００５】
以上のような実情を踏まえ、本発明の一側面に係る目的は、入力キーに関連付けて登録されている情報が印刷されたラベルを容易に作成することである。
【課題を解決するための手段】
【０００６】
本発明の一態様に係る印刷装置は、被印刷媒体に画像が印刷されたラベルを作成するラベル作成部と、前記印刷を行うための情報を取得するデータ取得部と、制御部と、を備え、前記データ取得部は、少なくとも１つのキーを有する第１の入力部と、前記ラベルを貼り付けることが可能な貼り付け領域と、を備える特定の電子機器における前記キーの配置に関する情報及び前記貼り付け領域に関する情報を含む特定の仕様情報を取得し、前記制御部は、前記特定の仕様情報と、前記特定の電子機器における前記キーに登録されている又は登録される登録情報と、に基づいて、前記ラベル作成部により、前記被印刷媒体における前記キーの配置に対応した領域に前記登録情報が印刷された前記ラベルを作成させる。
【０００７】
本発明の一態様に係る印刷システムは、被印刷媒体に画像が印刷されたラベルを作成するラベル作成部を有する印刷装置と、少なくとも１つのキーを有する第１の入力部と前記ラベルを貼り付けることが可能な貼り付け領域とを備える特定の電子機器における前記キーの配置に関する情報及び前記貼り付け領域に関する情報を含む特定の仕様情報を送信する情報機器と、を備え、前記印刷装置は、前記情報機器から送信される情報を取得するデータ取得部と、制御部と、を有し、前記データ取得部は、前記特定の仕様情報を前記情報機器から取得し、前記制御部は、前記特定の仕様情報と、前記特定の電子機器の前記キーに登録されている又は登録される登録情報と、に基づいて、前記ラベル作成部により、前記被印刷媒体における前記キーの配置に対応した領域に前記登録情報が印刷された前記ラベルを作成させる。
【０００８】
本発明の別の態様に係る印刷装置は、被印刷媒体に画像が印刷されたラベルを作成するラベル作成部と、前記印刷を行うための情報を取得するデータ取得部と、制御部と、を備え、前記データ取得部は、少なくとも１つのキーを有する第１の入力部と、前記ラベルを貼り付けることが可能な貼り付け領域と、を備える互いに異なる機種の複数の電子機器のうちの特定の電子機器の機種を特定する特定の機種情報を取得し、前記制御部は、前記特定の機種情報に基づいて取得した、前記特定の電子機器の前記キーの配置に関する情報及び前記貼り付け領域に関する情報を含む特定の仕様情報と、前記特定の電子機器における前記キーに登録されている又は登録される登録情報と、に基づいて、前記ラベル作成部により、前記被印刷媒体における前記キーの配置に対応した領域に前記登録情報が印刷された前記ラベルを作成させる。
【０００９】
本発明の一態様に係るラベル作成方法は、少なくとも１つのキーを有する第１の入力部と、被印刷媒体に画像が印刷されて作成されたラベルを貼り付けることが可能な貼り付け領域と、を備える特定の電子機器における前記キーの配置に関する情報及び前記貼り付け領域に関する情報を含む特定の仕様情報を取得し、前記特定の仕様情報と、前記特定の電子機器における前記キーに登録されている又は登録される登録情報と、に基づいて、前記被印刷媒体における前記キーの配置に対応した領域に前記登録情報が印刷された前記ラベルを作成する。
【００１０】
本発明の一態様に係るプログラムは、印刷装置を制御するコンピュータにより実行されるプログラムであって、前記印刷装置は、被印刷媒体に画像が印刷されたラベルを作成するラベル作成部を備え、少なくとも１つのキーを有する第１の入力部と、前記ラベルを貼り付けることが可能な貼り付け領域と、を備える特定の電子機器における前記キーの配置に関する情報及び前記貼り付け領域に関する情報を含む特定の仕様情報を取得させる機能と、前記特定の仕様情報と、前記特定の第１の電子機器の前記キーに登録されている又は登録される登録情報と、に基づいて、前記ラベル作成部により、前記被印刷媒体における前記キーの配置に対応した領域に前記登録情報が印刷された前記ラベルを作成させる機能と、を前記コンピュータに実行させる。
【発明の効果】
【００１１】
上記の態様によれば、入力キーに関連付けて登録されている情報が印刷されたラベルを容易に作成することができる。
【図面の簡単な説明】
【００１２】
【図１】第１の実施形態に係る印刷システム１００の構成を例示した図である。
【図２】印刷装置１に収納されるテープカセット３０の斜視図である。
【図３】印刷装置１のカセット収納部１９の斜視図である。
【図４】印刷装置１の断面図である。
【図５】印刷装置１の制御ブロック図である。
【図６】印刷装置１の制御部５が行うラベル作成処理のフローチャートである。
【図７】メモリキーについての情報を入力するコンピュータ４０の画面の一例を示した図である。
【図８】機種毎の入力部の仕様情報を格納したテーブルの一例を示した図である。
【図９】印刷装置１で作成されたラベルの一例を示した図である。
【図１０】第２の実施形態に係る印刷システム２００の構成を例示した図である。
【図１１】印刷装置８０の制御ブロック図である。
【図１２】印刷装置８０の制御部５が行うラベル作成処理のフローチャートである。
【図１３】メモリキーについての情報を入力する印刷装置８０の画面の一例を示した図である。
【図１４】印刷装置８０で作成されたラベルの一例を示した図である。
【発明を実施するための形態】
【００１３】
［第１の実施形態］
図１は、本実施形態に係る印刷システム１００の構成を例示した図である。図１に示す印刷システム１００は、電子機器５０の入力部に貼り付けるラベルを作成するラベル作成システムであり、印刷装置１と、コンピュータ（情報機器）４０と、サーバ７０を備えている。
【００１４】
印刷装置１は、被印刷媒体Ｍに印刷を行う印刷装置であり、例えば、長尺状の被印刷媒体Ｍに、シングルパス方式で画像の印刷を行うラベルプリンタである。被印刷媒体Ｍは、例えば、接着層を有する基材と、接着層を覆うように剥離可能に基材に貼付された剥離紙と、を有するテープ部材である。被印刷媒体Ｍは、離型紙なしのテープ部材であってもよい。なお、本明細書では、ラベルとは、印刷済みの被印刷媒体Ｍのこと、又は、印刷済みの被印刷媒体Ｍを切断することで作成されたテープ片のことである。
【００１５】
コンピュータ４０は、例えば、プロセッサ、メモリ、及びストレージを備える標準的なコンピュータであり、ノート型のパーソナルコンピュータである。コンピュータ４０は、ラベル作成用のアプリケーションプログラムを実行することで、印刷装置１へラベル作成命令を出力する。なお、コンピュータ４０と印刷装置１は、ＵＳＢ（Universal Serial Bus）ケーブルを介して接続されている。
【００１６】
電子機器５０は、複数のキーを有する入力部６０を備える電子機器であり、例えば、電卓やハンディターミナルである。複数のキーには、数値や計算式などの情報を登録可能な特定のキー（例えば、メモリキー６１、メモリキー６２、メモリキー６３、メモリキー６４、メモリキー６５）が含まれている。また、電子機器５０は、印刷装置１で作成されたラベルを貼り付けることができる貼り付け領域ＬＡを有している。
【００１７】
サーバ７０は、ネットワークを介してコンピュータ４０に接続された、例えば、クラウドサーバである。サーバ７０には、互いに異なる複数の機種の電子機器の入力部の仕様情報が機種毎に格納されている。仕様情報には、入力部が有する複数のキーの間のスペースを特定する情報（以降、スペース情報と記す）と、複数のキーに含まれる特定のキーの位置情報と、貼り付け領域ＬＡの大きさを示す情報と、が含まれている。換言すると、仕様情報には、キーの配置に関する情報と、貼り付け領域に関する情報（貼り付け領域情報）と、が含まれている。また、スペース情報には、キーの間隔とキーピッチが含まれていて、貼り付け領域情報には、貼り付け領域の幅と長さが含まれている。
【００１８】
図２は、印刷装置１に収納されるテープカセット３０の斜視図である。図３は、印刷装置１のカセット収納部１９の斜視図である。図４は、印刷装置１の断面図である。図５は、印刷装置１の制御ブロック図である。以下、図１から図５を参照しながら、印刷装置１の構成について更に詳細に説明する。
【００１９】
なお、以降では、印刷装置１がインクリボンを使用する熱転写方式のラベルプリンタである場合を例にして説明するが、印刷装置１は感熱紙を使用する感熱方式のラベルプリンタであってもよい。また、ラベルプリンタである印刷装置１は、サーマルプリンタに限らず、インクジェットプリンタであってもよい。
【００２０】
印刷装置１は、図１に示すように、装置筐体２と、入力部３と、表示部４と、開閉蓋１８と、カセット収納部１９を備える。装置筐体２の上面には、入力部３、表示部４、及び開閉蓋１８が配置されている。また、図示しないが、装置筐体２には、電源コード接続端子、外部機器接続端子、記憶媒体挿入口等が設けられている。
【００２１】
入力部３は、入力キー、十字キー、変換キー、決定キーなどの種々のキーを備える。入力部３は、例えば、後述する登録情報の入力を受け付ける。表示部４は、例えば液晶表示パネルであり、入力部３からの入力に対応する文字等、各種設定のための選択メニュー、各種処理に関するメッセージ等を表示する。なお、表示部４にはタッチパネルユニットが設けられていてもよく、その場合、表示部４を入力部３の一部として看做してもよい。
【００２２】
開閉蓋１８は、カセット収納部１９の上部に開閉可能に配置されている。開閉蓋１８は、ボタン１８ａを押下されることにより開放される。開閉蓋１８には、この開閉蓋１８が閉じた状態でもカセット収納部１９にテープカセット３０（図２参照）が収納されているか否かを目視で確認可能とするために、窓１８ｂが形成されている。また、装置筐体２の側面には、排出口２ａが形成されている。印刷装置１内で印刷が行われた被印刷媒体Ｍは、排出口２ａから装置外へ排出される。
【００２３】
テープカセット３０は、図２に示すように、サーマルヘッド被挿入部３６及び係合部３７が形成された、被印刷媒体ＭとインクリボンＲを収容するカセットケース３１を有する。テープカセット３０は、図３に示すカセット収納部１９に着脱自在に収納される。カセットケース３１には、テープコア３２とインクリボン供給コア３４とインクリボン巻取りコア３５が設けられている。被印刷媒体Ｍは、カセットケース３１内部のテープコア３２にロール状に巻かれている。また、熱転写用のインクリボンＲは、その先端がインクリボン巻取りコア３５に巻きつけられた状態で、カセットケース３１内部のインクリボン供給コア３４にロール状に巻かれている。
【００２４】
装置筐体２のカセット収納部１９には、図３に示すように、テープカセット３０を所定の位置に支持するための複数のカセット受け部２０が設けられている。また、カセット受け部２０には、テープカセット３０が収容するテープ（被印刷媒体Ｍ）の幅を検出するためのテープ幅検出スイッチ２４が設けられている。
【００２５】
カセット収納部１９には、さらに、複数の発熱素子を有し、被印刷媒体Ｍに印刷を行う印刷ヘッドであるサーマルヘッド１０と、被印刷媒体Ｍを搬送する搬送部であるプラテンローラ２１と、テープコア係合軸２２と、インクリボン巻取り駆動軸２３が設けられている。さらに、サーマルヘッド１０には、サーミスタ１３が埋め込まれている。サーミスタ１３は、サーマルヘッド１０の温度を測定する測定部である。
【００２６】
テープカセット３０がカセット収納部１９に収納された状態では、図４に示すように、カセットケース３１に設けられた係合部３７がカセット収納部１９に設けられたカセット受け部２０に支持されて、サーマルヘッド１０がカセットケース３１に形成されたサーマルヘッド被挿入部３６に挿入される。また、テープコア係合軸２２には、テープカセット３０のテープコア３２が係合し、さらに、インクリボン巻取り駆動軸２３には、インクリボン巻取りコア３５が係合する。
【００２７】
印刷装置１に印刷命令（ラベル作成命令を含む）が入力されると、被印刷媒体Ｍは、プラテンローラ２１の回転によりテープコア３２から繰り出される。この際、インクリボン巻取り駆動軸２３がプラテンローラ２１に同調して回転することで、被印刷媒体ＭとともにインクリボンＲがインクリボン供給コア３４から繰り出される。これにより、被印刷媒体ＭとインクリボンＲは重なった状態で搬送される。そして、サーマルヘッド１０とプラテンローラ２１の間を通過する際にインクリボンＲがサーマルヘッド１０によって加熱されることで、インクが被印刷媒体Ｍに転写され、印刷が行われる。
【００２８】
サーマルヘッド１０とプラテンローラ２１の間を通過した使用済みのインクリボンＲは、インクリボン巻取りコア３５に巻き取られる。一方、サーマルヘッド１０とプラテンローラ２１の間を通過した印刷済みの被印刷媒体Ｍは、ハーフカット機構１６及びフルカット機構１７で切断され、排出口２ａから排出される。
【００２９】
印刷装置１は、図５に示すように、上述の入力部３、表示部４、サーマルヘッド１０、ハーフカット機構１６、フルカット機構１７、プラテンローラ２１、テープ幅検出スイッチ２４に加えて、制御部５、フラッシュメモリ６、ＲＡＭ（Random Access Memory）７、表示部駆動回路８、ヘッド駆動回路９、搬送用モータ駆動回路１１、ステッピングモータ１２、カッターモータ駆動回路１４、カッターモータ１５、及び、ＵＳＢインターフェース２５を備える。
【００３０】
制御部５は、例えばＣＰＵ（Central Processing Unit）などのプロセッサ５ａを含む。制御部５は、フラッシュメモリ６に記憶されているプログラムをＲＡＭ７に展開し実行することで、印刷装置１の各部の動作を制御する。制御部５は、例えば、ヘッド駆動回路９を介してサーマルヘッド１０を制御するヘッド制御部であり、ストローブ信号と印刷データを生成してヘッド駆動回路９へ供給する。また、制御部５は、プラテンローラ２１を制御する搬送制御部であり、カット機構を制御するカット制御部である。
【００３１】
記憶部であるフラッシュメモリ６には、被印刷媒体Ｍに印刷を行ってラベルを作成するラベル作成プログラム、ラベル作成プログラムの実行に必要な各種データ（例えば、フォント等）が格納されている。また、フラッシュメモリ６は、制御部５によって読取り可能なプログラムが記憶された記憶媒体としても機能する。ＲＡＭ７は、印刷装置１で生成された印刷データを記憶する印刷バッファメモリとして機能する。さらに、ＲＡＭ７は、表示用データを記憶する表示バッファメモリとしても機能する。
【００３２】
表示部駆動回路８は、ＲＡＭ７に記憶された表示用データに基づいて表示部４を制御する。ヘッド駆動回路９は、ストローブ信号と印刷データに基づいて複数の発熱素子への通電又は非通電を行う。より詳細には、ストローブ信号（制御信号）がＯＮである期間（以降、通電制御期間と記す）中に印刷データに基づいてサーマルヘッド１０の複数の発熱素子への通電又は非通電を行う。
【００３３】
サーマルヘッド１０は、主走査方向に配列された複数の発熱素子を有する印刷ヘッドである。サーマルヘッド１０は、制御部５から供給されたストローブ信号の通電制御期間に印刷データに応じて、発熱素子がヘッド駆動回路９により選択的に通電されることで、発熱素子でインクリボンＲを加熱して、熱転写により被印刷媒体Ｍに印刷を行う。
【００３４】
搬送用モータ駆動回路１１は、ステッピングモータ１２を駆動する。ステッピングモータ１２は、プラテンローラ２１を回転させる。プラテンローラ２１は、ステッピングモータ１２の動力によって回転し、被印刷媒体Ｍの長手方向（副走査方向、又は搬送方向）に被印刷媒体Ｍを搬送する。即ち、プラテンローラ２１は、印刷媒体Ｍを搬送する搬送部であり、ステッピングモータ１２は、被印刷媒体Ｍを搬送方向に搬送するための搬送モータである。
【００３５】
カッターモータ駆動回路１４は、カッターモータ１５を駆動する。ハーフカット機構１６及びフルカット機構１７は、カッターモータ１５の動力によって動作し、被印刷媒体Ｍをハーフカット又はフルカットする。フルカットとは、被印刷媒体Ｍの基材を剥離紙とともに幅方向に沿って切断する動作のことであり、ハーフカットは、基材のみを幅方向に沿って切断する動作のことである。
【００３６】
なお、印刷装置１では、ヘッド駆動回路９、サーマルヘッド１０、搬送用モータ駆動回路１１、ステッピングモータ１２、プラテンローラ２１、カッターモータ駆動回路１４、カッターモータ１５、ハーフカット機構１６、及びフルカット機構１７は、制御部５の制御下で、被印刷媒体Ｍに画像が印刷されたラベルを作成するラベル作成部２６である。
【００３７】
テープ幅検出スイッチ２４は、カセットケース３１の形状に基づいて被印刷媒体Ｍの幅を検出するためのスイッチである。テープ幅検出スイッチ２４は、カセット収納部１９に複数設けられている。テープ幅の異なるテープカセットは、複数のテープ幅検出スイッチ２４をそれぞれ異なる組み合わせで押下するように構成されている。制御部５は、押下されたテープ幅検出スイッチ２４の組み合わせから、テープカセットの種類を特定し、被印刷媒体Ｍの幅（テープ幅）を検出する。
【００３８】
ＵＳＢインターフェース２５は、ＵＳＢケーブルを介してコンピュータ４０との間でデータの授受を行う通信部であって、本発明の一態様における、印刷を行うための情報を取得するデータ取得部に対応する。なお、印刷装置１は通信部として、例えば、無線通信によりコンピュータ４０と通信を行う機能を有していてもよく、更には、有線通信又は無線通信によりサーバ７０と通信可能な機能を有していてもよい。
【００３９】
図６は、印刷装置１の制御部５が行うラベル作成処理のフローチャートである。図７は、特定のキーについての情報を入力するコンピュータ４０の画面の一例を示した図である。図８は、サーバ７０に格納されている、機種毎の入力部の仕様情報を格納したテーブルの一例を示した図である。図９は、印刷装置１で作成されたラベルの一例を示した図である。以下、図６から図９を参照しながら、制御部５が行うラベル作成処理について具体的に説明する。なお、図６に示すラベル作成処理は、コンピュータ４０がラベル作成用のアプリケーションプログラムを実行してラベル作成命令を印刷装置１へ送信することで、開始される。
【００４０】
図８に示すように、機種毎の入力部の仕様情報を格納したテーブルＴ１には、例えば、貼り付け領域ＬＡの、貼り付け領域幅、貼り付け領域長さなどを含む貼り付け領域情報と、キー間隔、キーピッチなどを含むスペース情報と、複数のキーからなるキー配列中における特定のキーの位置を示す位置情報と、が含まれており、カラムＣ２、Ｃ３、Ｃ５がスペース情報であり、カラムＣ４、Ｃ６が貼り付け領域情報であり、カラムＣ７からカラムＣ１１が特定のキーの位置情報である。カラムＣ７からカラムＣ１１に格納されている位置情報（x,y）は、複数のキーが格子状に並んだキー配列のx列目で且つy行目に特定のキーが位置していることを示している。ここで、貼り付け領域幅は、特定のキーの近傍に設けられているラベルを貼り付けることが可能な貼り付け領域ＬＡの縦方向の幅の値を示し、キー間隔は特定のキーの各々の間の横方向の間隔を示し、横方向のキーピッチは特定のキーの各々の横方向の間隔を示し、縦方向のキーピッチが特定のキーの行毎の間隔を示している。
【００４１】
コンピュータ４０は、ラベル作成用のアプリケーションプログラムを起動後に、これから作成するラベルを貼り付ける対象の電子機器の特定の機種（特定の電子機器）の指定を受け付ける。特定の機種が指定されると、コンピュータ４０は、サーバ７０に格納されている機種毎の入力部の仕様情報を格納したテーブルから、指定された電子機器の特定の機種に対応する入力部の特定の仕様情報をサーバ７０から取得し、取得した特定の仕様情報に基づいて当該機種が有する特定のキーの個数を特定する。具体的には、図８に示す仕様情報を格納したテーブルＴ１のうちの、電子機器５０の指定された機種に対応する入力部６０の仕様情報を、サーバ７０から取得する。例えば、電子機器５０の指定された特定の機種が“Ａ−０００２”の場合であれば、制御部５は、テーブルＴ１から、レコードＲ２の情報を仕様情報として取得する。その後、コンピュータ４０は、特定のキーの各々に登録されている又はこれから登録される情報（以降、登録情報と記す）と、登録情報を説明する説明情報と、を入力する入力画面を表示部４１に表示させる。図７には、入力画面上で特定のキーＳ４の登録情報を編集又は入力している例が示されている。なお、印刷装置１で作成されるラベルには、後述するように登録情報と説明情報が印刷される。このため、以降では、登録情報と説明情報をまとめて、印刷内容情報と記す。
【００４２】
情報入力の終了後、コンピュータ４０に対してラベル作成を指示する操作が行われると、コンピュータ４０は、印刷装置１に、ラベル作成命令を送信する。ラベル作成命令には、指定された電子機器の特定の機種に応じた入力部の特定の仕様情報と印刷内容情報が含まれている。
【００４３】
ラベル作成命令を受信してラベル作成処理を開始すると、印刷装置１は、まず、ラベル作成命令に含まれる仕様情報と印刷内容情報とを取得する（ステップＳ１、ステップＳ２）。より詳細には、データ取得部であるＵＳＢインターフェース２５が、コンピュータ４０から、指定された電子機器５０の特定の機種の入力部の特定の仕様情報と、入力画面上で入力された登録情報を含む印刷内容情報と、を取得する。
【００４４】
その後、印刷装置１の制御部５は、ステップＳ１で取得した仕様情報と、ステップＳ２で取得した印刷内容情報と、に基づいて印刷データを生成する（ステップＳ３）。即ち、制御部５は、印刷データを生成する印刷データ生成部である。ステップＳ３で生成される印刷データは、登録情報を含む印刷内容情報を、電子機器５０の複数のキー間のスペースに応じたサイズの領域に印刷するための印刷データである。なお、複数のキー間のスペースに応じたサイズとは、複数のキーの間に収まるサイズ、つまり、入力部６０のうちの複数のキー以外の領域に収まるサイズのことをいう。
【００４５】
この例では、制御部５は、電子機器５０の入力部６０の仕様情報を取得すると、取得した仕様情報とステップＳ２で取得した印刷内容情報とに基づいて、印刷データを生成する。より具体的には、例えば、制御部５は、まず、仕様情報に含まれる位置情報から特定のキーの配列を特定し、生成する印刷データの数を決定する。レコードＲ２を取得した場合であれば、電子機器５０が有する５つの特定のキーが特定の行に一列に並んでいることが特定されるため、印刷データの数を１つに決定する。印刷データの数は特定のキーが存在する列の数と同数に決定される。このため、特定のキーが複数行にまたがって配列されている場合には、複数の印刷データを作成してもよい。生成する印刷データの数が決定されると、制御部５は、次に、仕様情報に含まれるスペース情報及びテープ幅検出スイッチ２４に基づいて検出されているテープ（被印刷媒体Ｍ）の幅から、テープ（被印刷媒体Ｍ）における印刷領域のサイズ、印刷内容情報を印刷するフォントサイズを決定し、仕様情報に含まれる位置情報から印刷領域内のどこに印刷内容情報のうちのどの情報を印刷するかを決定する。そして、最後に、制御部５は、決定した内容に従って印刷データを生成する。
【００４６】
ステップＳ３で印刷データが生成されると、印刷装置１は、その後、印刷前処理、印刷処理、印刷後処理を行って、複数のキー間のスペースに応じたサイズの領域に印刷内容情報が印刷されたラベルを作成する（ステップＳ４、ステップＳ５、ステップＳ６）。
【００４７】
ステップＳ４では、ラベル作成部２６は、印刷前処理としてハーフカット処理を行う。具体的には、印刷装置１は、ラベルの先端に無駄な余白が生じないように、サーマルヘッド１０とカット機構（ハーフカット機構１６、フルカット機構１７）の間の距離に基づいて決定される距離だけ被印刷媒体Ｍを搬送し、ハーフカット機構１６で被印刷媒体Ｍをハーフカットする。その後、ラベル作成部２６は、印刷開始位置まで被印刷媒体Ｍを搬送する。
【００４８】
ステップＳ５では、ラベル作成部２６は、ステップＳ３で生成された印刷データに基づいて、被印刷媒体Ｍに印刷を行う。さらに、ステップＳ６では、ラベル作成部２６は、印刷後処理としてフルカット処理を行う。具体的には、ラベル作成部２６は、ラベルの後端に無駄な余白が生じないように、サーマルヘッド１０とカット機構（ハーフカット機構１６、フルカット機構１７）の間の距離に基づいて決定される距離だけ被印刷媒体Ｍを搬送し、フルカット機構１７で被印刷媒体Ｍをフルカットする。
【００４９】
これにより、電子機器５０の複数のキー間のスペースに応じたサイズの領域にステップＳ２で取得した印刷内容情報が印刷されたラベルＬ１が、ラベル作成部２６により作成される。換言すると、被印刷媒体Ｍにおけるキー配置に対応した領域に登録情報を含む印刷内容情報が印刷されたラベルＬ１が、ラベル作成部２６により作成される。
【００５０】
以上のように、本実施形態に係る印刷システム１００における印刷装置１では、コンピュータ４０により電子機器５０の機種を指定して、コンピュータ４０に電子機器５０の登録情報を含む印刷内容情報を入力することにより、電子機器５０の登録情報が印刷されたラベルＬ１を容易に作成することができる。また、印刷装置１で作成されたラベルＬ１に印刷された印刷内容情報は、電子機器５０の複数のキー間のスペースに応じたサイズの領域に印刷されている。このため、図９に示すように、印刷装置１で作成されたラベルＬ１を電子機器５０の入力部６０のキーが存在しない位置に設定されている貼り付け領域ＬＡに貼り付けることが可能である。ラベルＬ１を電子機器５０の貼り付け領域ＬＡに貼り付けることで、電子機器５０を使用する使用者は、電子機器５０の特定のキーに登録されている情報をひと目で確認することができる。さらに、ラベルＬ１は容易に剥がすことができるため、特定のキーに登録されている情報が変更される度にラベルを作成し直して貼りかえることで、常に正しい情報に更新することができる。
【００５１】
なお、上記実施形態において、印刷装置１は、指定された電子機器の特定の機種に対応する入力部の特定の仕様情報をコンピュータ４０から取得するとしたが、印刷装置１がサーバ７０と通信可能な機能を有している場合には、上述したコンピュータ４０で行った動作と同様の動作を印刷装置１で行って、コンピュータ４０を介することなく、特定の仕様情報を取得する構成であってもよい。即ち、特定の仕様情報を送信する情報機器は、コンピュータ４０であってもサーバ７０であってもよい。
【００５２】
また、印刷装置１は、カセット収納部１９に収納されているテープカセット３０のテープ（被印刷媒体Ｍ）の幅が貼り付け領域幅よりも広い（大きい）場合には、エラーメッセージを表示して、ラベル作成処理を中止してもよい。より詳細には、印刷装置１は、例えば、ステップＳ３において、テープ幅検出スイッチ２４に基づいて検出される被印刷媒体Ｍの幅が、フラッシュメモリ６から取得したレコードのカラムＣ５に格納されている縦方向の貼り付け領域幅よりも広い場合に、エラーメッセージを表示部４に表示させてもよい。
【００５３】
また、印刷装置１は、カセット収納部１９に収納されているテープカセット３０のテープ（被印刷媒体Ｍ）の幅が貼り付け領域幅よりも広い（大きい）場合には、被印刷媒体Ｍの貼り付け領域幅に対応する位置に補助線を印刷し、補助線が印刷されたラベルを作成してもよい。補助線は、作成されたラベルを使用者がはさみ等で切断する作業を支援するために印刷され、補助線を印刷する位置は、縦方向の貼り付け領域幅に対応する位置に設定される。印刷された補助線に沿ってテープを切断することによって縦方向の幅が貼り付け領域幅と同じラベルＬ１を作成することができる。
【００５４】
また、印刷装置１は、カセット収納部１９に収納されているテープカセット３０のテープ（被印刷媒体Ｍ）の幅が貼り付け領域幅よりも広い場合に、ラベル作成処理を中止するとともに、テープ（被印刷媒体Ｍ）の幅が貼り付け領域幅と同じかそれより狭いテープを有するテープカセット３０をカセット収納部１９に収納するように促すメッセージを表示部４に表示するようにしてもよい。
【００５５】
［第２の実施形態］
図１０は、本実施形態に係る印刷システム２００の構成を例示した図である。図１１は、印刷システム２００に含まれる印刷装置８０の制御ブロック図である。図１２は、印刷装置８０の制御部５が行うラベル作成処理のフローチャートである。図１３は、特定のキーについての情報を入力する印刷装置８０の画面の一例を示した図である。
【００５６】
図１０に示す印刷システム２００は、電子機器９０の入力部６０に貼り付けるラベルを作成するラベル作成システムであり、印刷装置８０と、電子機器（第１の電子機器）９０を備えている。
【００５７】
印刷装置８０の物理構成は、第１の実施形態における印刷装置１に対して、図１１に示すように、ＵＳＢインターフェース２５の代わりに無線通信回路２７を備える点を除き、印刷装置１の物理構成と同様である。また、印刷装置８０は、図６に示すラベル作成処理の代わりに図１２に示すラベル作成処理を実行する点も、印刷装置１とは異なる。更に、印刷装置８０においては、フラッシュメモリ６に電子機器９０の機種毎の入力部の仕様情報を格納したテーブルが格納されており、この点も印刷装置１とは異なっている。
【００５８】
電子機器９０は、通信機能を有し、印刷装置８０からの要求に応じて印刷装置８０へ所定の情報を送信する点が、電子機器５０とは異なる。その他の点は、電子機器５０と同様である。なお、印刷装置８０へ送信される所定の情報には、例えば、電子機器９０の機種に対応した、電子機器９０の機種を特定する特定の機種情報である機種識別情報と、電子機器９０の特定のキーに登録されている登録情報と、が含まれる。図１１には、印刷装置８０と電子機器９０の間で無線通信によってデータがやり取りされる例を示したが、有線通信によって印刷装置８０と電子機器９０の間でデータが授受されてもよい。
【００５９】
図１２に示すラベル作成処理は、印刷装置８０がラベル作成用のアプリケーションプログラムを実行することで、開始される。まず、印刷装置８０は、電子機器９０に機種情報を要求し、電子機器９０から電子機器９０の機種に対応した特定の機種情報を、無線通信回路２７により取得する（ステップＳ１１）。ここでは、例えば、特定の機種情報として、機種識別子などの機種識別情報を取得する。さらに、印刷装置８０は、電子機器９０に登録情報を要求し、電子機器９０から電子機器９０の特定のキーに登録されている登録情報を取得する（ステップＳ１２）。なお、電子機器９０が複数の特定のキーを有する場合には、登録情報に対応する特定のキーを識別するためのキー識別情報を登録情報と共に取得する。電子機器９０の特定のキーである、メモリキー６１、メモリキー６２、メモリキー６３、メモリキー６４、メモリキー６５のキー識別情報は、例えば、それぞれ、“S1”、“S2”、“S3”、“S4”、“S5” である。
【００６０】
その後、印刷装置８０は、入力画面を表示部４に表示させる（ステップＳ１３）。ここでは、制御部５は、まずフラッシュメモリ６に格納されている仕様情報のテーブルのうちの、ステップＳ１で取得した機種識別情報に基づいて特定される電子機器９０の入力部６０の仕様情報を、フラッシュメモリ６から取得する。例えば、電子機器９０の機種識別子が“Ａ−０００２”の場合であれば、制御部５は、フラッシュメモリ６に格納されている図８に示すテーブルＴ１から、仕様情報であるレコードＲ２を取得する。その後、制御部５は、取得した仕様情報に基づいて当該機種が有する特定のキーの個数を特定し、特定のキーの各々に対する登録情報を説明する説明情報を入力する入力画面を表示部４に表示させる。図１３には、入力画面上でメモリキーＳ４の説明情報を編集又は入力している例が示されている。印刷システム２００では、印刷装置８０の入力部３は、登録情報を説明する説明情報の入力を受け付ける入力部である。
【００６１】
情報入力の終了後、印刷装置１は、入力画面から入力された説明情報を取得する（ステップＳ１４）。取得した説明情報とステップＳ１２で取得した登録情報はキー識別情報によって関連付けられる。
【００６２】
その後、印刷装置１は、ステップＳ１１で取得した機種情報と、ステップＳ１２で取得した登録情報と、ステップＳ１４で取得した説明情報と、検出されているテープ（被印刷媒体Ｍ）の幅と、に基づいて印刷データを生成する（ステップＳ１５）。ステップＳ１５で生成される印刷データは、登録情報と説明情報とを含む印刷内容情報を、テープ（被印刷媒体Ｍ）上の、電子機器９０の複数のキー間のスペースに応じたサイズの領域に印刷するための印刷データである。なお、ステップＳ１５の処理は、図６のステップＳ３の処理と同様である。
【００６３】
ステップＳ１５で印刷データが生成されると、印刷装置８０は、印刷前処理、印刷処理、印刷後処理を行って、複数のキー間のスペースに応じたサイズの領域に印刷内容情報が印刷されたラベルを作成する（ステップＳ１６、ステップＳ１７、ステップＳ１８）。ステップＳ１６からステップＳ１８の処理は、図６のステップＳ４からステップＳ６の処理と同様である。
【００６４】
以上のように、本実施形態に係る印刷システム２００によっても、第１の実施形態に係る印刷システム１００と同様の効果を得ることができる。さらに、本実施形態に係る印刷システム２００では、電子機器９０の機種情報と登録情報が電子機器９０から取得される。このため、機種情報と登録情報を使用者が手動で入力する作業を省略することができる。また、電子機器９０から取得した確実な情報に基づいてラベルを作成することができる。
【００６５】
なお、印刷装置８０でも、印刷装置１と同様に、被印刷媒体Ｍの幅が貼り付け領域ＬＡの貼り付け領域幅よりも広い場合には、エラーメッセージを表示して、ラベル作成処理を中止してもよい。また、印刷装置８０は、印刷装置１と同様に、被印刷媒体Ｍの幅が貼り付け領域幅よりも広い場合には、被印刷媒体Ｍの貼り付け領域幅に対応する位置に補助線を印刷し、補助線が印刷されたラベルを作成してもよい。図１４には、補助線ＧＬが印刷されたラベルＬ２が例示されている。印刷された補助線に沿ってテープを切断することによって幅が貼り付け領域幅と同じラベルＬ１を作成することができる。
【００６６】
また、印刷装置８０は、被印刷媒体Ｍの幅が貼り付け領域幅よりも広い場合に、ラベル作成処理を中止するとともに、被印刷媒体Ｍの幅が貼り付け領域幅と同じかそれより狭いテープを有するテープカセット３０をカセット収納部１９に収納するように促すメッセージを表示部４に表示するようにしてもよい。
【００６７】
上述した実施形態は、発明の理解を容易にするために具体例を示したものであり、本発明はこの実施形態に限定されるものではない。印刷システム、印刷装置、ラベル作成方法、及び、プログラムは、特許請求の範囲の記載を逸脱しない範囲において、さまざまな変形、変更が可能である。
【００６８】
上述した第１の実施形態では、サーバ７０に様々な電子機器の入力部の仕様情報が機種毎に格納されている例を示したが、この仕様情報がコンピュータ４０に格納されていてもよい。また、コンピュータ４０に格納されている仕様情報がサーバ７０から取得した情報に基づいて、更新又は追加可能となっていてもよい。この場合、新製品の仕様情報がサーバ７０に格納された場合に、当該新製品に迅速に対応することができる。また、第２の実施形態に係る印刷装置８０は、電子機器９０から電子機器９０の機種識別情報を取得する代わりに、電子機器９０の入力部６０の仕様情報を電子機器９０から取得するものであってもよい。このように仕様情報を電子機器９０から取得することで、新製品等に迅速に対応することができる。また、第２の実施形態に係る印刷装置８０においては、フラッシュメモリ６に電子機器９０の仕様情報が格納されているとしたが、通信回路２７がインターネットを介してサーバとデータを授受可能であって、サーバから取得した情報に基づいて、フラッシュメモリ６に格納されている仕様情報が更新又は追加可能となっていてもよい。この場合にも、新製品の仕様情報がサーバに格納されると、当該新製品に迅速に対応することができる。
【００６９】
また、上述した実施形態では、説明情報が印刷されたラベルを作成する例が示されている。説明情報が印刷されることで、登録情報が何を意味するかを容易に把握することが可能となる。例えば、図８に示すラベルＬ１、図１４に示すラベルＬ２では、説明情報（US$、A$、NT$等）が印刷されていることで、登録情報が為替レートを表していることを容易に把握することができる。しかしながら、説明情報の印刷は任意であり、省略されてもよい。説明情報の印刷を省略する場合には、説明情報を入力する使用者の作業を省略することができるため、ラベル作成が更に容易になる。また、上述した実施形態では、電子機器が複数のキーを有する入力部を備える例を示したが、入力部は少なくとも一つのキーを備えていれば良い。
【００７０】
また、上述した第１の実施形態では、コンピュータ４０がノート型のパーソナルコンピュータである例を示したが、コンピュータ４０は、スマートフォンやタブレット端末であってもよい。また、上述した第１の実施形態では、コンピュータ４０と印刷装置１がＵＳＢケーブルで接続されている例を示したが、コンピュータ４０と印刷装置１は無線通信により接続されてもよい。
【００７１】
以下、本願の出願当初の特許請求の範囲に記載された発明を付記する。
［付記１］
被印刷媒体に画像が印刷されたラベルを作成するラベル作成部と、
前記印刷を行うための情報を取得するデータ取得部と、
制御部と、
を備え、
前記データ取得部は、少なくとも１つのキーを有する第１の入力部と、前記ラベルを貼り付けることが可能な貼り付け領域と、を備える特定の電子機器における前記キーの配置に関する情報及び前記貼り付け領域に関する情報を含む特定の仕様情報を取得し、
前記制御部は、前記特定の仕様情報と、前記特定の電子機器における前記キーに登録されている又は登録される登録情報と、に基づいて、前記ラベル作成部により、前記被印刷媒体における前記キーの配置に対応した領域に前記登録情報が印刷された前記ラベルを作成させることを特徴とする印刷装置。
［付記２］
付記１に記載の印刷装置は、
前記登録情報の入力を受け付ける第２の入力部を備えることを特徴とする印刷装置。
［付記３］
付記１に記載の印刷装置において、
前記特定の仕様情報は、前記特定の電子機器を含む互いに異なる複数の電子機器の各々における、前記キーの配置に関する情報及び前記貼り付け領域に関する情報を含む仕様情報から選択されたものであることを特徴とする印刷装置。
［付記４］
付記３に記載の印刷装置において、
前記仕様情報は、前記複数の電子機器の各々における、前記キーの間隔及び前記キーのキーピッチを含むスペース情報と、前記キーの位置を示すキーの位置情報と、前記貼り付け領域の幅及び長さを含む貼り付け領域情報と、を含むことを特徴とする印刷装置。
［付記５］
付記１乃至付記４の何れかに記載の印刷装置において、
前記制御部は、前記被印刷媒体の幅が前記特定の仕様情報における前記貼り付け領域の幅より大きい場合に、前記ラベル作成部により、前記被印刷媒体の前記貼り付け領域の幅に対応する位置に補助線を印刷させることを特徴とする印刷装置。
［付記６］
被印刷媒体に画像が印刷されたラベルを作成するラベル作成部を有する印刷装置と、
少なくとも１つのキーを有する第１の入力部と、前記ラベルを貼り付けることが可能な貼り付け領域と、を備える特定の電子機器における前記キーの配置に関する情報及び前記貼り付け領域に関する情報を含む特定の仕様情報を送信する情報機器と、
を備え、
前記印刷装置は、前記情報機器から送信される情報を取得するデータ取得部と、制御部と、を有し、
前記データ取得部は、前記特定の仕様情報を前記情報機器から取得し、
前記制御部は、前記特定の仕様情報と、前記特定の電子機器の前記キーに登録されている又は登録される登録情報と、に基づいて、前記ラベル作成部により、前記被印刷媒体における前記キーの配置に対応した領域に前記登録情報が印刷された前記ラベルを作成させることを特徴とする印刷システム。
［付記７］
付記６に記載の印刷システムにおいて、
前記特定の仕様情報は、前記情報機器において、前記特定の電子機器を含む互いに異なる複数の電子機器の各々における、前記キーの配置に関する情報及び前記貼り付け領域に関する情報を含む仕様情報から選択されたものであることを特徴とする印刷システム。
［付記８］
付記６又は付記７に記載の印刷システムにおいて、
前記データ取得部は、前記情報機器から前記登録情報を取得することを特徴とする印刷システム。
［付記９］
付記６又は付記７に記載の印刷システムにおいて、
前記印刷装置は、前記登録情報の入力を受け付ける第２の入力部を備えることを特徴とする印刷システム。
［付記１０］
付記６乃至付記９の何れかに記載の印刷システムにおいて、
前記仕様情報は、前記複数の電子機器の各々における、前記キーの間隔及び前記キーのキーピッチを含むスペース情報と、前記キーの位置を示すキーの位置情報と、前記貼り付け領域の幅及び長さを含む貼り付け領域情報と、を含むことを特徴とする印刷システム。
［付記１１］
被印刷媒体に画像が印刷されたラベルを作成するラベル作成部と、
前記印刷を行うための情報を取得するデータ取得部と、
制御部と、
を備え、
前記データ取得部は、少なくとも１つのキーを有する第１の入力部と、前記ラベルを貼り付けることが可能な貼り付け領域と、を備える互いに異なる機種の複数の電子機器のうちの特定の電子機器の機種を特定する特定の機種情報を取得し、
前記制御部は、前記特定の機種情報に基づいて取得した、前記特定の電子機器の前記キーの配置に関する情報及び前記貼り付け領域に関する情報を含む特定の仕様情報と、前記特定の電子機器における前記キーに登録されている又は登録される登録情報と、に基づいて、前記ラベル作成部により、前記被印刷媒体における前記キーの配置に対応した領域に前記登録情報が印刷された前記ラベルを作成させることを特徴とする印刷装置。
［付記１２］
付記１１に記載の印刷装置は、
前記複数の電子機器の各々における、前記キーの配置に関する情報及び前記貼り付け領域に関する情報を含む仕様情報が格納された記憶部を有し、
前記制御部は、前記特定の機種情報に基づいて、前記記憶部に格納されている前記仕様情報から前記特定の仕様情報を取得することを特徴とする印刷装置。
［付記１３］
付記１１又は付記１２に記載の印刷装置において、
前記データ取得部は、前記特定の機種情報及び前記登録情報を前記特定の機種の第１の電子機器から取得することを特徴とする印刷装置。
［付記１４］
付記１１又は付記１２に記載の印刷装置は、
前記登録情報の入力を受け付ける第２の入力部を備え、
前記データ取得部は、前記特定の機種情報を前記特定の機種の第１の電子機器から取得することを特徴とする印刷装置。
［付記１５］
付記１１乃至付記１４の何れかに記載の印刷装置において、
前記仕様情報は、第１の電子機器の前記複数の機種の各々における、前記キーの間隔及び前記キーのキーピッチを含むスペース情報と、前記キーの位置を示すキーの位置情報と、前記貼り付け領域の幅及び長さを含む貼り付け領域情報と、を含むことを特徴とする印刷装置。
［付記１６］
少なくとも１つのキーを有する第１の入力部と、被印刷媒体に画像が印刷されて作成されたラベルを貼り付けることが可能な貼り付け領域と、を備える特定の電子機器における前記キーの配置に関する情報及び前記貼り付け領域に関する情報を含む特定の仕様情報を取得し、
前記特定の仕様情報と、前記特定の電子機器における前記キーに登録されている又は登録される登録情報と、に基づいて、前記被印刷媒体における前記キーの配置に対応した領域に前記登録情報が印刷された前記ラベルを作成することを特徴とするラベル作成方法。
［付記１７］
印刷装置を制御するコンピュータにより実行されるプログラムであって、
前記印刷装置は、被印刷媒体に画像が印刷されたラベルを作成するラベル作成部を備え、
少なくとも１つのキーを有する第１の入力部と、前記ラベルを貼り付けることが可能な貼り付け領域と、を備える特定の電子機器における前記キーの配置に関する情報及び前記貼り付け領域に関する情報を含む特定の仕様情報を取得させる機能と、
前記特定の仕様情報と、前記特定の電子機器の前記キーに登録されている又は登録される登録情報と、に基づいて、前記ラベル作成部により、前記被印刷媒体における前記キーの配置に対応した領域に前記登録情報が印刷された前記ラベルを作成させる機能と、
を前記コンピュータに実行させることを特徴とするプログラム。
【符号の説明】
【００７２】
１、８０・・・印刷装置、２・・・装置筐体、２ａ・・・排出口、３、６０・・・入力部、４、４１・・・表示部、５・・・制御部、５ａ・・・プロセッサ、６・・・フラッシュメモリ、７・・・ＲＡＭ、８・・・表示部駆動回路、９・・・ヘッド駆動回路、１０・・・サーマルヘッド、１１・・・搬送用モータ駆動回路、１２・・・ステッピングモータ、１４・・・カッターモータ駆動回路、１５・・・カッターモータ、１６・・・ハーフカット機構、１７・・・フルカット機構、１８・・・開閉蓋、１８ａ・・・ボタン、１８ｂ・・・窓、１９・・・カセット収納部、２０・・・カセット受け部、２１・・・プラテンローラ、２２・・・テープコア係合軸、２３・・・インクリボン巻取り駆動軸、２４・・・テープ幅検出スイッチ、２５・・・ＵＳＢインターフェース、２６・・・ラベル作成部、２７・・・無線通信回路、３０・・・テープカセット、３１・・・カセットケース、３２・・・テープコア、３４・・・インクリボン供給コア、３５・・・インクリボン巻取りコア、３６・・・サーマルヘッド被挿入部、３７・・・係合部、４０・・・コンピュータ、５０、９０・・・電子機器、６１、６２、６３、６４、６５・・・メモリキー、７０・・・サーバ、１００、２００・・・印刷システム、Ｃ１−Ｃ１１・・・カラム、ＧＬ・・・補助線、Ｌ１、Ｌ２・・・ラベル、ＬＡ・・・貼り付け領域、Ｍ・・・被印刷媒体、Ｒ・・・インクリボン、Ｒ１、Ｒ２・・・レコード、Ｔ１・・・テーブル
【図１】
2018108695.tif 000003
【図２】
2018108695.tif 000004
【図３】
2018108695.tif 000005
【図４】
2018108695.tif 000006
【図５】
2018108695.tif 000007
【図６】
2018108695.tif 000008
【図７】
2018108695.tif 000009
【図８】
2018108695.tif 000010
【図９】
2018108695.tif 000011
【図１０】
2018108695.tif 000012
【図１１】
2018108695.tif 000013
【図１２】
2018108695.tif 000014
【図１３】
2018108695.tif 000015
【図１４】
2018108695.tif 000016